(57)【要約】【課題】いずれの測定部位についての測定結果であるかを確実かつ容易に認識可能に表示し得る測定結果表示装置を提供する。【解決手段】測定対象を示す測定対象像（像ＰＸ）の画像データ、および測定対象についての測定結果データを記憶する記憶部と、画像データに基づく測定対象像（像ＰＸ）を測定結果表示画面３０に表示させると共に、測定結果データに基づく測定結果（測定結果表示３２ａ〜３２ｄ，３３ａ〜３３ｃ）を測定対象像（像ＰＸ）に対応させて測定結果表示画面３０に表示させる測定結果表示処理を実行する処理部とを備えている。【選択図】図６
2014231994.tif 000002
【特許請求の範囲】
【請求項１】
測定対象を示す測定対象像の画像データ、および当該測定対象についての測定結果データを記憶する記憶部と、
前記画像データに基づく前記測定対象像を測定結果表示画面に表示させると共に、前記測定結果データに基づく測定結果を当該測定対象像に対応させて当該測定結果表示画面に表示させる測定結果表示処理を実行する処理部とを備えている測定結果表示装置。
【請求項２】
前記測定対象に対する当該測定結果表示装置の位置の変化を検出する位置検出部と、
前記測定対象に対する当該測定結果表示装置の姿勢の変化を検出する姿勢検出部とを備え、
前記処理部は、前記測定結果表示処理において、前記位置検出部によって前記位置の変化が検出されたときに、検出された当該位置の変化に対応させて前記測定対象像の大きさを変化させると共に、前記姿勢検出部によって前記姿勢の変化が検出されたときに、検出された当該姿勢の変化に対応させて前記測定対象像の表示位置を変化させる請求項１記載の測定結果表示装置。
【請求項３】
前記処理部は、前記測定結果表示処理において、前記測定結果が測定された前記測定対象における測定部位を特定させる測定部位特定表示を前記測定対象像に重ねて前記測定結果表示画面に表示させると共に、複数の測定値レベル範囲毎に予め規定された複数種類の表示色のうちの前記測定結果データの測定値に対応する表示色で当該測定部位特定表示を表示させることで前記測定結果を表示させる請求項１または２記載の測定結果表示装置。
【請求項４】
前記処理部は、前記測定結果表示処理に先立ち、前記測定対象を特定可能な測定対象特定データを取得して当該測定対象特定データに基づいて当該測定対象を特定する測定対象特定処理を実行すると共に、前記測定結果表示処理において、前記測定対象特定処理によって特定した前記測定対象の前記画像データに基づく前記測定対象像、および特定した当該測定対象の前記測定結果データに基づく前記測定結果を前記測定結果表示画面に表示させる請求項１から３のいずれかに記載の測定結果表示装置。
【請求項５】
前記測定対象に配設された識別符号表示を撮像して撮像データを出力可能な撮像部を備え、
前記処理部は、前記測定対象特定処理において、前記撮像部から出力される前記撮像データと、前記測定対象に付与された識別符号が当該測定対象に関連付けて記録された第１の関連付けデータとを前記測定対象特定データとして取得すると共に、当該撮像データを画像解析処理して前記識別符号表示によって示されている識別符号を特定し、かつ、特定した当該識別符号および前記第１の関連付けデータに基づき、当該特定した識別符号が付与されている前記測定対象を特定する請求項４記載の測定結果表示装置。
【請求項６】
前記測定対象に配設されたＩＣタグから当該測定対象毎に付与された識別符号の識別符号データを読み取り可能なタグリーダーを備え、
前記処理部は、前記測定対象特定処理において、前記タグリーダーを制御して前記ＩＣタグから前記識別符号データを読み取らせ、かつ当該タグリーダーによって読み取られた前記識別符号データと、前記測定対象に付与された前記識別符号が当該測定対象に関連付けて記録された第２の関連付けデータとを前記測定対象特定データとして取得すると共に、当該識別符号データおよび当該第２の関連付けデータに基づき、当該識別符号データの前記識別符号が付与されている前記測定対象を特定する請求項４または５記載の測定結果表示装置。
【請求項７】
現在位置を測位して測位データを出力可能な測位部を備え、
前記処理部は、前記測定対象特定処理において、前記測位部を制御して現在位置を測位させ、かつ当該測位部から出力された前記測位データと、前記測定対象の位置が当該測定対象に関連付けて記録された第３の関連付けデータとを前記測定対象特定データとして取得すると共に、当該測位データおよび当該第３の関連付けデータに基づき、現在位置に位置している前記測定対象を特定する請求項４から６のいずれかに記載の測定結果表示装置。
【請求項８】
前記記憶部は、前記測定対象の属性についての属性データを記憶し、
前記処理部は、前記測定対象特定処理によって特定した前記測定対象の前記属性データに基づく前記属性を示す属性情報を前記測定結果表示画面に表示させる請求項４から７のいずれかに記載の測定結果表示装置。
【請求項９】
外部装置と通信可能な通信部を備え、
前記処理部は、前記測定結果表示処理において、前記通信部を制御して前記測定結果データを前記外部装置から送信させて取得する測定結果データ取得処理を実行する請求項１から８のいずれかに記載の測定結果表示装置。
【請求項１０】
前記処理部は、前記測定結果表示処理において、前記通信部を制御して前記画像データを前記外部装置から送信させて取得する画像データ取得処理を実行する請求項９記載の測定結果表示装置。
【請求項１１】
請求項９または１０記載の測定結果表示装置と、前記外部装置としてのデータサーバと、前記測定対象の物理量を測定して前記測定結果データを生成すると共に当該測定結果データを当該測定対象に関連付けて前記データサーバに送信する測定装置とを備えて構成されている測定システム。
【請求項１２】
測定対象を示す測定対象像の画像データ、および当該測定対象についての測定結果データを取得すると共に、前記画像データに基づく前記測定対象像を測定結果表示画面に表示させ、かつ前記測定結果データに基づく測定結果を当該測定対象像に対応させて当該測定結果表示画面に表示させる測定結果表示処理を測定結果表示装置の処理部に実行させる測定結果表示用プログラム。
【発明の詳細な説明】
【技術分野】
【０００１】
本発明は、測定装置によって測定された測定結果を表示可能に構成された測定結果表示装置、そのような測定結果表示装置を備えて構成された測定システム、および測定結果表示装置の処理部に測定結果表示処理を実行させる測定結果表示用プログラムに関するものである。
【背景技術】
【０００２】
例えば、電源装置の保守作業に際しては、配電盤に配設された各種ケーブルを流れる電流の電流値、各種端子等の電圧の電圧値、および搭載機器の温度（発熱の度合い）などの測定作業を実施する。この場合、例えば、各種ケーブルを流れる電流の電流値を測定する際には、一例として、特開２００７−３０９７３１号公報に出願人が開示しているクランプ式電流計を使用する。具体的には、まず、電源装置の扉を開けて測定対象の配電盤を露出させる。次いで、クランプ式電流計のレバーを操作してクランプセンサを開き、測定対象のケーブルをクランプする。この際には、クランプセンサによってクランプしたケーブルを流れている電流の電流値が測定され、その測定結果を示す数値が表示部に表示される。これにより、表示部に表示されている測定結果（この例では、電流値を示す数値）に基づき、配電盤が正常に機能しているか（ケーブルが正常に接続されているか等）が検査される。
【先行技術文献】
【特許文献】
【０００３】
【特許文献１】特開２００７−３０９７３１号公報（第４−７頁、第１−４図）
【発明の概要】
【発明が解決しようとする課題】
【０００４】
ところが、出願人が開示しているクランプ式電流計を用いた電流の測定方法等には、以下の改善すべき課題が存在する。すなわち、出願人が開示しているクランプ式電流計では、クランプセンサによってクランプした状態の導体（ケーブル）を流れる電流の電流値が測定されて表示部に表示される構成が採用されている。このため、この種のクランプ式電流計を用いた電流の測定時には、測定結果の読取りに際して、クランプセンサによって測定対象をクランプした状態を維持する必要があり、測定対象のケーブル等の位置によっては、クランプセンサによってケーブルをクランプしたままでの測定結果の読み取りが困難となることもある。
【０００５】
一方、出願人は、上記のような不都合が生じることのないように、例えば、測定対象からクランプセンサを外しても測定結果が表示部に表示された状態を維持させる機能（ホールド機能）を備えたクランプ式電流計も提案している。しかしながら、例えば、複数のケーブルが並んで配設されている場合には、ホールド機能を利用して、クランプセンサを測定部位から外した状態において測定結果を読み取ったときに、読み取った測定結果がいずれのケーブルについての測定結果であるかが判らなくなってしまうおそれがある。したがって、ホールド機能によって前述したような不都合を回避できる可能性があるものの、この種の装置の操作に不慣れな者にとっては、所望する測定部位についての測定結果を取得するのが依然として困難となることがあり、この点を改善するのが好ましい。
【０００６】
本発明は、かかる改善すべき課題に鑑みてなされたものであり、いずれの測定部位についての測定結果であるかを確実かつ容易に認識可能に表示し得る測定結果表示装置、測定システムおよび測定結果表示用プログラムを提供することを主目的とする。
【課題を解決するための手段】
【０００７】
上記目的を達成すべく請求項１記載の測定結果表示装置は、測定対象を示す測定対象像の画像データ、および当該測定対象についての測定結果データを記憶する記憶部と、前記画像データに基づく前記測定対象像を測定結果表示画面に表示させると共に、前記測定結果データに基づく測定結果を当該測定対象像に対応させて当該測定結果表示画面に表示させる測定結果表示処理を実行する処理部とを備えている。
【０００８】
また、請求項２記載の測定結果表示装置は、請求項１記載の測定結果表示装置において、前記測定対象に対する当該測定結果表示装置の位置の変化を検出する位置検出部と、前記測定対象に対する当該測定結果表示装置の姿勢の変化を検出する姿勢検出部とを備え、前記処理部は、前記測定結果表示処理において、前記位置検出部によって前記位置の変化が検出されたときに、検出された当該位置の変化に対応させて前記測定対象像の大きさを変化させると共に、前記姿勢検出部によって前記姿勢の変化が検出されたときに、検出された当該姿勢の変化に対応させて前記測定対象像の表示位置を変化させる。
【０００９】
さらに、請求項３記載の測定結果表示装置は、請求項１または２記載の測定結果表示装置において、前記処理部は、前記測定結果表示処理において、前記測定結果が測定された前記測定対象における測定部位を特定させる測定部位特定表示を前記測定対象像に重ねて前記測定結果表示画面に表示させると共に、複数の測定値レベル範囲毎に予め規定された複数種類の表示色のうちの前記測定結果データの測定値に対応する表示色で当該測定部位特定表示を表示させることで前記測定結果を表示させる。
【００１０】
また、請求項４記載の測定結果表示装置は、請求項１から３のいずれかに記載の測定結果表示装置において、前記処理部は、前記測定結果表示処理に先立ち、前記測定対象を特定可能な測定対象特定データを取得して当該測定対象特定データに基づいて当該測定対象を特定する測定対象特定処理を実行すると共に、前記測定結果表示処理において、前記測定対象特定処理によって特定した前記測定対象の前記画像データに基づく前記測定対象像、および特定した当該測定対象の前記測定結果データに基づく前記測定結果を前記測定結果表示画面に表示させる。
【００１１】
さらに、請求項５記載の測定結果表示装置は、請求項４記載の測定結果表示装置において、前記測定対象に配設された識別符号表示を撮像して撮像データを出力可能な撮像部を備え、前記処理部は、前記測定対象特定処理において、前記撮像部から出力される前記撮像データと、前記測定対象に付与された識別符号が当該測定対象に関連付けて記録された第１の関連付けデータとを前記測定対象特定データとして取得すると共に、当該撮像データを画像解析処理して前記識別符号表示によって示されている識別符号を特定し、かつ、特定した当該識別符号および前記第１の関連付けデータに基づき、当該特定した識別符号が付与されている前記測定対象を特定する。
【００１２】
また、請求項６記載の測定結果表示装置は、請求項４または５記載の測定結果表示装置において、前記測定対象に配設されたＩＣタグから当該測定対象毎に付与された識別符号の識別符号データを読み取り可能なタグリーダーを備え、前記処理部は、前記測定対象特定処理において、前記タグリーダーを制御して前記ＩＣタグから前記識別符号データを読み取らせ、かつ当該タグリーダーによって読み取られた前記識別符号データと、前記測定対象に付与された前記識別符号が当該測定対象に関連付けて記録された第２の関連付けデータとを前記測定対象特定データとして取得すると共に、当該識別符号データおよび当該第２の関連付けデータに基づき、当該識別符号データの前記識別符号が付与されている前記測定対象を特定する。
【００１３】
さらに、請求項７記載の測定結果表示装置は、請求項４から６のいずれかに記載の測定結果表示装置において、現在位置を測位して測位データを出力可能な測位部を備え、前記処理部は、前記測定対象特定処理において、前記測位部を制御して現在位置を測位させ、かつ当該測位部から出力された前記測位データと、前記測定対象の位置が当該測定対象に関連付けて記録された第３の関連付けデータとを前記測定対象特定データとして取得すると共に、当該測位データおよび当該第３の関連付けデータに基づき、現在位置に位置している前記測定対象を特定する。
【００１４】
また、請求項８記載の測定結果表示装置は、請求項４から７のいずれかに記載の測定結果表示装置において、前記記憶部は、前記測定対象の属性についての属性データを記憶し、前記処理部は、前記測定対象特定処理によって特定した前記測定対象の前記属性データに基づく前記属性を示す属性情報を前記測定結果表示画面に表示させる。
【００１５】
また、請求項９記載の測定結果表示装置は、請求項１から８のいずれかに記載の測定結果表示装置において、外部装置と通信可能な通信部を備え、前記処理部は、前記測定結果表示処理において、前記通信部を制御して前記測定結果データを前記外部装置から送信させて取得する測定結果データ取得処理を実行する。
【００１６】
さらに、請求項１０記載の測定結果表示装置は、請求項９記載の測定結果表示装置において、前記処理部は、前記測定結果表示処理において、前記通信部を制御して前記画像データを前記外部装置から送信させて取得する画像データ取得処理を実行する。
【００１７】
また、請求項１１記載の測定システムは、請求項９または１０記載の測定結果表示装置と、前記外部装置としてのデータサーバと、前記測定対象の物理量を測定して前記測定結果データを生成すると共に当該測定結果データを当該測定対象に関連付けて前記データサーバに送信する測定装置とを備えて構成されている。
【００１８】
また、請求項１２記載の測定結果表示用プログラムは、測定対象を示す測定対象像の画像データ、および当該測定対象についての測定結果データを取得すると共に、前記画像データに基づく前記測定対象像を測定結果表示画面に表示させ、かつ前記測定結果データに基づく測定結果を当該測定対象像に対応させて当該測定結果表示画面に表示させる測定結果表示処理を測定結果表示装置の処理部に実行させる。
【発明の効果】
【００１９】
請求項１記載の測定結果表示装置では、処理部が、測定結果表示処理において、測定対象を示す測定対象像を測定結果表示画面に表示させると共に、測定結果データに基づく測定結果を測定対象像に対応させて測定結果表示画面に表示させる。また、請求項１２記載の測定結果表示用プログラムでは、測定対象を示す測定対象像を測定結果表示画面に表示させると共に、測定結果データに基づく測定結果を測定対象像に対応させて測定結果表示画面に表示させる測定結果表示処理を測定結果表示装置の処理部に実行させるように記述されている。
【００２０】
したがって、請求項１記載の測定結果表示装置、および請求項１２記載の測定結果表示用プログラムによれば、測定結果表示画面に表示されている各測定結果の表示が、いずれの測定部位についての測定結果を示しているかを確実かつ容易に認識することができる。これにより、この測定結果表示装置および測定結果表示用プログラムによれば、この種の装置の操作に不慣れな利用者であっても、確実かつ容易に測定結果を得ることができる。
【００２１】
また、請求項２記載の測定結果表示装置によれば、測定対象に対する測定結果表示装置の位置の変化が検出されたときに、検出された位置の変化に対応させて測定対象像の大きさを変化させると共に、測定対象に対する測定結果表示装置の姿勢の変化が検出されたときに、検出された姿勢の変化に対応させて測定対象像の表示位置を変化させることにより、例えば、測定結果表示画面内の測定対象像を拡大・縮小させたりスクロールさせたりする操作（測定結果表示画面に対するピンチイン操作、ピンチアウト操作およびスライド操作、等）を行うことなく、測定対象に対して測定結果表示装置を接近または離間させたり、測定対象に対する測定結果表示装置の姿勢（向き等）を変更したりするだけで、測定対象に対する位置や姿勢の変化に対応して測定結果表示画面内の測定対象像の大きさや表示位置が変化させることができるため、恰も、測定結果表示画面内に現実の測定対象が存在しているかのような極く自然な感覚で測定結果表示画面内の測定対象像を拡大・縮小させたり移動させたりすることができる。したがって、この種の装置の操作に不慣れな利用者であっても、一層確実、かつ一層容易に測定結果を得ることができる。
【００２２】
さらに、請求項３記載の測定結果表示装置によれば、測定結果が測定された測定部位を特定させる測定部位特定表示を測定対象像に重ねて測定結果表示画面に表示させると共に、複数の測定値レベル範囲毎に予め規定された複数種類の表示色のうちの測定結果データの測定値に対応する表示色で測定部位特定表示を表示させることで測定結果を表示させることにより、数値による測定結果の読み取りが困難な場合にも、測定結果を直感的に認識することができる。したがって、この種の装置の操作に不慣れな利用者であっても、一層確実、かつ一層容易に測定結果を得ることができる。
【００２３】
また、請求項４記載の測定結果表示装置によれば、処理部が、測定結果表示処理に先立ち、測定対象特定データに基づいて測定対象を特定する測定対象特定処理を実行すると共に、測定結果表示処理において、測定対象特定処理によって特定した測定対象の画像データに基づく測定対象像、および特定した測定対象の測定結果データに基づく測定結果を測定結果表示画面に表示させることにより、測定結果を表示すべき測定対象を指定する煩雑な操作を行うことなく、利用者の目の前（測定結果表示装置の近傍）に存在する測定対象を正確かつ容易に特定することができるため、他の測定対象についての測定結果が誤って表示される事態を確実に回避しつつ、一層確実、かつ一層容易に測定結果を得ることができる。
【００２４】
さらに、請求項５記載の測定結果表示装置によれば、処理部が、測定対象特定処理において、撮像部から出力される識別符号表示を撮像した撮像データを画像解析処理して識別符号表示によって示されている識別符号を特定し、かつ、特定した識別符号と、測定対象に付与された識別符号が測定対象に関連付けて記録された第１の関連付けデータとに基づき、特定した識別符号が付与されている測定対象を特定することにより、ＧＰＳ信号を受信不能な位置に測定対象が存在するとき、測定対象が移動体であるとき（現在位置が逐次変化する可能性があるとき）、および測定対象にＩＣタグを配設するのが困難なときであっても、撮像部によって識別符号表示を撮像して撮像データを画像解析処理することで識別符号を特定することができ、特定した識別符号と第１の関連付け情報とに基づいて測定対象を正確かつ容易に特定することができる。
【００２５】
また、請求項６記載の測定結果表示装置によれば、処理部が、測定対象特定処理において、タグリーダーを制御して測定対象毎に付与された識別符号の識別符号データをＩＣタグから読み取らせ、かつタグリーダーによって読み取られた識別符号データと、測定対象に付与された識別符号が測定対象に関連付けて記録された第２の関連付けデータとに基づき、識別符号データの識別符号が付与されている測定対象を特定することにより、ＧＰＳ信号を受信不能な位置に測定対象が存在するとき、測定対象が移動体であるとき（現在位置が逐次変化する可能性があるとき）、および測定対象に識別符号表示を貼付するのが困難なときであっても、タグリーダーによってＩＣタグから識別符号データを読み取って第２の関連付け情報と比較することで測定対象を正確かつ容易に特定することができる。
【００２６】
さらに、請求項７記載の測定結果表示装置によれば、処理部が、測定対象特定処理において、測位部から出力された測位データと、測定対象の位置が測定対象に関連付けて記録された第３の関連付けデータとに基づき、現在位置に位置している測定対象を特定することにより、測定対象にＩＣタグを配設するのが困難なときや、測定対象に識別符号表示を貼付するのが困難なときであっても、測定対象の位置、すなわち、測定結果表示処理の実行位置において測位部によって現在位置を測位して第３の関連付けデータと比較するだけで、その測定対象を正確かつ容易に特定することができる。
【００２７】
また、請求項８記載の測定結果表示装置によれば、処理部が、測定対象特定処理によって特定した測定対象の属性データに基づく属性を示す属性情報を測定結果表示画面に表示させることにより、測定結果表示画面に表示されている測定結果と、その測定結果に対応する測定対象の属性とを相互に関連付けて容易に把握することができる。
【００２８】
また、請求項９記載の測定結果表示装置によれば、処理部が、通信部を制御して測定結果データを外部装置から送信させて取得する測定結果データ取得処理を実行することにより、例えば、測定対象の数が多数で、測定結果データが多数存在する場合であっても、測定結果表示処理の開始時に外部装置から測定結果データを取得して記憶部に記憶させればよいため、測定結果表示装置の記憶部における貴重な記憶領域が多数の測定結果データによって占有されて、他の各種データを記憶可能な記憶領域が不足する事態を回避することができる。また、複数の測定結果表示装置によって１つの測定対象についての測定結果を表示させる可能性があるときに、各測定結果表示装置に測定結果データをそれぞれ記憶させておくことなく、測定結果表示処理を実行する測定結果表示装置が必要に応じて測定結果データを取得すればよいため、測定装置による測定処理を繰り返して実行するような使用形態において、測定結果表示処理において使用する測定結果データを最新の測定結果データに容易に更新することができる。
【００２９】
さらに、請求項１０記載の測定結果表示装置によれば、処理部が、通信部を制御して画像データを外部装置から送信させて取得する画像データ取得処理を実行することにより、例えば、測定対象の数が多数で、測定対象像の画像データが多数存在する場合であっても、測定結果表示処理の開始時に外部装置から測定対象像の画像データを取得して記憶部に記憶させればよいため、測定結果表示装置の記憶部における貴重な記憶領域が多数の画像データによって占有されて、他の各種データを記憶可能な記憶領域が不足する事態を回避することができる。また、複数の測定結果表示装置によって１つの測定対象についての測定結果を表示させる可能性があるときに、各測定結果表示装置に測定対象像の画像データをそれぞれ記憶させておくことなく、測定結果表示処理を実行する測定結果表示装置が必要に応じて測定対象像の画像データを取得すればよいため、測定対象像の画像データを生成する処理を１つの測定対象に関して１回実行するだけで、各測定結果表示装置によってその測定対象についての画像データを共用することができる。
【００３０】
また、請求項１１記載の測定システムによれば、請求項８または９記載の測定結果表示装置と、外部装置としてのデータサーバと、測定対象の物理量を測定して測定結果データを生成すると共に測定結果データを測定対象に関連付けてデータサーバに送信する測定装置とを備えて構成したことにより、測定対象に測定装置を設置しておき、測定結果を得る際には、測定結果表示装置だけを携行して測定対象の設置場所に移動すればよいため、測定対象のメンテナンス作業等を容易に実施することができる。
【図面の簡単な説明】
【００３１】
【図１】測定システム１００の構成を示す構成図である。
【図２】扉５１，５１を閉めた状態の電源装置５０の正面図である。
【図３】扉５１，５１を開き、かつカバー５２を取り外した状態の電源装置５０の正面図である。
【図４】測定対象像データＤｘに基づく配電盤Ｘの像ＰＸの図である。
【図５】携帯情報端末２の表示部２７にカメラ２１からの撮像データＤ４に基づく画像を表示させた状態の表示画面図である。
【図６】表示部２７の測定結果表示画面３０に配電盤Ｘの像ＰＸおよび測定結果表示３２ａ〜３２ｄ，３３ａ〜３３ｃを表示させた状態の表示画面図である。
【図７】図６に示す配電盤Ｘの像ＰＸにおける搭載機器Ｘａ，Ｘｂの像ＰＸａ，ＰＸｂおよび測定結果表示３２ａ，３２ｂの近傍を拡大表示させた状態の表示画面図である。
【図８】図６に示す配電盤Ｘの像ＰＸにおける搭載機器Ｘｃ，Ｘｄの像ＰＸｃ，ＰＸｄおよび測定結果表示３２ｃ，３２ｄの近傍を拡大表示させた状態の表示画面図である。
【図９】配電盤Ｘの像ＰＸに測定結果表示４２ａ〜４２ｄ，４２ｘを重ねて表示させた状態の表示画面図である。
【図１０】図６に示す配電盤Ｘの像ＰＸにおける搭載機器Ｘｃの像ＰＸｃおよび測定結果表示３３ａ〜３３ｃの近傍を拡大表示させた状態の表示画面図である。
【図１１】配電盤Ｘの像ＰＸにおける搭載機器ＸｃおよびケーブルＸ１ａ〜Ｘ３ａ，Ｘ１ｂ〜Ｘ３ｂの像ＰＸｃ、ＰＸ１ａ〜ＰＸ３ａ，ＰＸ１ｂ〜ＰＸ３ｂに測定結果表示４３ａ〜４３ｃを重ねて表示させた状態の表示画面図である。
【発明を実施するための形態】
【００３２】
以下、本発明に係る測定結果表示装置、測定システムおよび測定結果表示用プログラムの実施の形態について、添付図面を参照して説明する。
【００３３】
図１に示す測定システム１００は、「測定システム」の一例であって、測定装置１、携帯情報端末２、データサーバ３、および「測定対象」に配設されるＩＣタグＴｇ、バーコードラベルＬｂや特定用マークＭａなどを備えて構成されている。なお、ＩＣタグＴｇ、バーコードラベルＬｂおよび特定用マークＭａについては、測定対象に配設されている既存のＩＣタグ、既存のバーコードラベルおよび既存のマーク（測定システム１００とは無関係に測定対象に配設されているＩＣタグ、バーコードラベルおよびマーク）を利用することもできる。
【００３４】
また、以下の説明においては、「測定結果表示装置」、「測定システム」および「測定結果表示用プログラム」の発明についての理解を容易とするために、一例として、図２，３に示す電源装置５０の配電盤Ｘを「測定対象」として電流値や温度を測定してその測定結果を表示するものとする。この場合、電源装置５０は、配電盤Ｘを収容する筐体の正面側に一対の扉５１，５１が配設されると共に、感電事故の防止を目的として、図３に破線で示すように、扉５１，５１を開けた状態において配電盤Ｘが露出することのないように、配電盤Ｘの正面側にカバー５２が取り外し可能に取り付けられている。また、図３に示すように、配電盤Ｘは、搭載機器Ｘａ〜ＸｄやケーブルＸ１ａ〜Ｘ３ａ，Ｘ１ｂ〜Ｘ３ｂなどを備えて構成されている。
【００３５】
さらに、図２に示すように、一例として、電源装置５０における扉５１には、バーコードラベルＬｂおよび特定用マークＭａが貼付されると共に、扉５１の取っ手５１ａには、ＩＣタグＴｇが吊り下げられている。この場合、バーコードラベルＬｂは、「識別符号表示」の一例であって、各「測定対象」毎に個別的に付与された「識別符号（一例として、英数字で構成された管理番号）」を表す模様（バーコード）が印刷されたラベルで構成されている。また、特定用マークＭａは、後述するように「測定結果表示装置」の「撮像部」によって「測定対象（本例では、電源装置５０）を撮像したときに、「測定対象」に対する「測定結果表示装置」の位置や姿勢を把握するための検出用マーカーの一種であって、一例として、「測定対象」の正面における四隅にそれぞれ貼付されている。
【００３６】
さらに、ＩＣタグＴｇ（ＮＦＣタグ）は、「ＩＣタグ」の一例であって、各「測定対象」毎に個別的に付与された「識別符号」を記録した識別符号データＤ３が記憶させられている。なお、バーコードラベルＬｂおよびＩＣタグＴｇの双方を電源装置５０に配設した例について説明するが、「ＩＣタグリーダー」が存在しない「測定結果表示装置」を使用するときには、「測定対象」にバーコードラベルＬｂだけを配設すればよいし、また、「撮像部」が存在しない「測定結果表示装置」を使用するときには、「測定対象」にＩＣタグＴｇだけを配設すればよい。
【００３７】
一方、測定装置１は、「測定装置」の一例であって、各種の「測定対象」の物理量を測定して測定結果データＤ１を生成すると共に、生成した測定結果データＤ１を「測定対象」に関連付けてデータサーバ３に送信可能に構成されている。具体的には、図１に示すように、測定装置１は、一例として、複数の測定モジュール１１，１１・・、通信部１２、処理部１３および記憶部１４を備え、各測定モジュール１１を「測定対象」における任意の「測定部位」に取り付けた状態において測定処理を実行し、各測定モジュール１１から出力される測定値データＤ０に基づいて生成した測定結果データＤ１を外部装置に送信することができるように構成されている。なお、同図では、測定モジュール１１を３つだけ図示している。
【００３８】
この場合、本例の測定装置１（測定システム１００）では、各種の物理量（電流値、電圧値、抵抗値、電力値および位相などの電気的パラメータや、温度、湿度、輝度（光度）、照度、歪み、雨量および流量等の各種パラメータ）を測定して測定値データＤ０を出力可能に構成された各種の測定モジュール１１のなかから、用途に応じた測定モジュール１１を選択して「測定対象」の任意の「測定部位」に装着して使用することができるように構成されている。なお、本例では、一例として、「温度」を測定可能に構成された測定モジュール１１（温度測定モジュール）を配電盤Ｘの搭載機器Ｘａ〜Ｘｄおよび配電盤Ｘの表面にそれぞれ装着すると共に、「電流値」を測定可能に構成された測定モジュール１１（クランプ型の電流測定モジュール）を配電盤ＸのケーブルＸ１ａ（または、ケーブルＸ１ｂ）、ケーブルＸ２ａ（またはケーブルＸ２ｂ）、およびケーブルＸ３ａ（またはケーブルＸ３ｂ）にそれぞれ装着して測定処理を実行するものとする。
【００３９】
通信部１２は、後述するように、通信ネットワークＮを介してデータサーバ３に接続可能に構成されると共に、処理部１３の制御に従って測定結果データＤ１（「測定結果データ」の一例）をデータサーバ３に送信可能に構成されている。処理部１３は、測定装置１を総括的に制御する。具体的には、各測定モジュール１１を制御して測定処理を実行させると共に、各測定モジュール１１から出力される測定値データＤ０を記憶部１４に記憶させる。また、処理部１３は、記憶部１４から測定値データＤ０を読み出して測定結果データＤ１を生成すると共に、生成した測定結果データＤ１を、通信部１２から通信ネットワークＮを介してデータサーバ３に送信する処理を実行する。記憶部１４は、上記の測定値データＤ０などを記憶する。
【００４０】
また、携帯情報端末２は、「測定結果表示装置」に相当し、一例として、測定結果表示用プログラムＤｐをインストールした既存のスマートフォン、または、測定結果表示用プログラムＤｐをインストールした既存のタブレット端末で構成されている。この場合、広義には、「スマートフォン」は「ＰＤＡ（携帯情報端末）の機能が備わった携帯電話」を意味し、「タブレット端末」は「タッチパネル等のポインティングデバイスと表示装置とを備えた携帯情報端末」を意味するが、本明細書では、この広義の「スマートフォン」および広義の「タブレット端末」のうちの「各種プログラムのインストールによって任意の機能を付加したり、端末の操作環境や表示環境等をカスタマイズしたりすることができるもの」を「スマートフォン」や「タブレット端末」という。
【００４１】
この携帯情報端末２は、図１に示すように、カメラ２１、ＩＣタグリーダー２２、測位部２３、Ｇセンサ２４、通信部２５、操作部２６、表示部２７、処理部２８および記憶部２９を備えている。なお、実際の携帯情報端末２は、上記の各構成要素２１〜２９の他に、「スマートフォン」または「タブレット端末」としての機能を実現するための各種の構成要素を備えているが、本願発明についての理解を容易とするために、これらの構成要素についての図示および説明を省略する。カメラ２１は、「撮像部」に相当し、電源装置５０の正面像やバーコードラベルＬｂの撮像データＤ４等を生成して処理部２８に出力する。また、カメラ２１は、処理部２８と相俟って「位置検出部」および「姿勢検出部」を構成し、後述するように、画像解析処理によって「測定対象」に対する携帯情報端末２の位置を特定可能な撮像データＤ４（特定用マークＭａ等を撮像した撮像データＤ４）を生成して処理部２８に出力する。
【００４２】
ＩＣタグリーダー２２は、「タグリーダー」に相当し、一例として、ＮＦＣタグリーダーで構成されている。このＩＣタグリーダー２２は、処理部２８の制御に従い、測定対象に配設されたＩＣタグＴｇに記憶されている識別符号データＤ３を読み出して処理部２８に出力する。測位部２３は、「測位部」の一例であって、処理部２８の制御に従い、ＧＰＳ衛星４，４・・から送信されたＧＰＳ信号Ｓｇを受信すると共に、受信したＧＰＳ信号Ｓｇに基づいて携帯情報端末２の現在位置を測位して測位データＤ２を生成し、生成した測位データＤ２を処理部２８に出力する「測位処理」を実行する。なお、ＧＰＳ信号Ｓｇに基づく現在位置の測位の具体的な手順については公知のため、詳細な説明を省略する。
【００４３】
Ｇセンサ２４は、「姿勢検出部」に相当し、一例として、Ｘ方向、Ｙ方向およびＺ方向の３方向への携帯情報端末２の加速度をそれぞれ測定して携帯情報端末２の姿勢の変化を特定可能な加速度データＤ５を出力する３軸加速度センサで構成されている。通信部２５は、「通信部」の一例であって、通信ネットワークＮに接続可能に構成されると共に、処理部２８の制御に従い、通信ネットワークＮを介してデータサーバ３に接続して、識別符号特定用データＤａ、測定対象位置特定用データＤｂ、測定対象像データＤｘおよび測定結果データＤ１などのデータを送受信する。操作部２６は、表示部２７の前面側に配設されたタッチパネルや、携帯情報端末２を「スマートフォン」または「タブレット端末」としての機能させるための各種の操作スイッチを備え、操作に応じた操作信号を処理部２８に出力する。表示部２７は、一例として液晶表示パネルを備え、処理部２８の制御に従い、測定結果表示画面３０（図６〜１１）などの各種の表示画面を表示する。
【００４４】
処理部２８は、「処理部」の一例であって、携帯情報端末２を総括的に制御する。具体的には、処理部２８は、測定装置１による測定処理の測定結果を表示する測定結果表示処理に先立ち、後述するように、測定対象を特定可能な各種の「測定対象特定データ（測位データＤ２、識別符号データＤ３および撮像データＤ４や、識別符号特定用データＤａおよび測定対象位置特定用データＤｂ等）」を取得すると共に、取得した「測定対象特定データ」に基づいて測定対象を特定する測定対象特定処理を実行する。なお、測定対象特定処理の具体的な内容については、後に詳細に説明する。
【００４５】
また、処理部２８は、測定対象特定処理によって特定した測定対象を示す測定対象像の測定対象像データＤｘ（「測定対象を示す測定対象像の画像データ」の一例）と、特定した測定対象についての測定結果が記録された測定結果データＤ１と、特定した測定対象についての属性データＤｃとを、通信ネットワークＮを介してデータサーバ３から取得して記憶部２９に記憶させる（「画像データ取得処理」および「測定結果データ取得処理」の一例）。さらに、処理部２８は、記憶部２９に記憶させた測定対象像データＤｘおよび測定結果データＤ１に基づき、任意の測定対象についての測定結果をその測定対象の測定対象像に対応付けて表示する測定結果表示画面３０（図６〜１１参照）を表示部２７に表示させると共に、属性データＤｃに基づく属性情報表示３１（図６参照）を測定結果表示画面３０に表示させる。
【００４６】
記憶部２９は、「記憶部」の一例であって、測定結果表示用プログラムＤｐ、識別符号特定用データＤａ、測定対象位置特定用データＤｂ、属性データＤｃ、測定対象像データＤｘおよび測定結果データＤ１などを記憶する。この場合、測定結果表示用プログラムＤｐや、各データＤａ，Ｄｂ，Ｄｃ，Ｄｘ、Ｄ１などを記憶するための「記憶部」は、携帯情報端末２の内蔵メモリで構成された記憶部２９に限定されず、携帯情報端末２に装着された各種のリムーバブルメモリを「記憶部」として使用することもできる。
【００４７】
データサーバ３は、「外部装置」としての「データサーバ」の一例であって、識別符号特定用データＤａ、測定対象位置特定用データＤｂ、属性データＤｃ、測定対象像データＤｘおよび測定結果データＤ１などを記憶すると共に、後述するように、携帯情報端末２からの送信要求に応じて、これら各データＤａ，Ｄｂ，Ｄｃ，Ｄｘ，Ｄ１を携帯情報端末２に送信する。なお、データサーバ３については、この測定システム１００専用のサーバーを容易して使用することもできるが、各データＤａ，Ｄｂ，Ｄｃ，Ｄｘ，Ｄ１を記憶可能な既存のデータサーバをデータサーバ３として使用することもできる。
【００４８】
この場合、上記の識別符号特定用データＤａは、「第１の関連付けデータ」および「第２の関連付けデータ」の一例であって、この識別符号特定用データＤａには、各「測定対象」に対して個別的に付与された「識別符号」が、その「測定対象」に関連付けて記録されている。この識別符号特定用データＤａは、一例として、「測定対象」に測定装置１を設置した者（「測定対象」に付与する「識別番号」を決定した者：「測定対象」にバーコードラベルＬｂやＩＣタグＴｇを設置する者）がパーソナルコンピュータ等を使用して生成して、データサーバ３に記憶させる。
【００４９】
また、上記の測定対象位置特定用データＤｂは、「第３の関連付けデータ」の一例であって、この測定対象位置特定用データＤｂには、「測定対象」の位置が、その「測定対象」に関連付けて記録されている。この測定対象位置特定用データＤｂは、一例として、「測定対象」に測定装置１を設置した者が、上記の携帯情報端末２における測位部２３と同様の測位部を備えた装置によって「測定対象」の現在位置を測位して、その測位結果を「測定装置」に関連付けて測定対象位置特定用データＤｂとしてデータサーバ３に記憶させる。
【００５０】
さらに、上記の属性データＤｃは、「属性データ」の一例であって、この属性データＤｃには、「測定対象」の属性が、その「測定対象」に関連付けて記録されている。この場合、本例では、「属性」の一例として、「測定対象の製造メーカ名、型式および製造年月日」、「測定対象の仕様や、構成回路の回路図」、および「測定対象の耐用年数や、前回メンテナンス日時および作業者名」などの各種の情報が記録されている。この属性データＤｃは、一例として、「測定対象」に測定装置１を設置した者が、がパーソナルコンピュータ等を使用して生成して、データサーバ３に記憶させる。
【００５１】
また、上記の測定対象像データＤｘは、一例として、「測定対象」の全体像を撮像した画像データと、「測定対象」内に規定される各「測定部位」に設置される測定モジュール１１（各測定モジュール１１によって測定される測定値）を上記の画像データの画像（測定対象像）における各「測定部位」の位置に関連付けた情報とで構成されている。なお、本例では、一例として、「測定対象」に測定装置１を設置した者が、「測定対象」を撮像して上記の「画像データ」を生成すると共に、各「測定部位」に設置した測定モジュール１１を画像データ内の各「測定部位」に関連付けた情報を「画像データ」に付加して測定対象像データＤｘを生成し、生成した測定対象像データＤｘをデータサーバ３に記憶させる。
【００５２】
この場合、電源装置５０の配電盤Ｘを「測定対象」とする本例においては、図４に示すように、配電盤Ｘの像ＰＸ（搭載機器Ｘａ〜Ｘｄの像ＰＸａ〜ＰＸｄ、ケーブルＸ１ａ〜Ｘ３ａの像ＰＸ１ａ〜ＰＸ３ａ、およびケーブルＸ１ｂ〜Ｘ３ｂの像ＰＸ１ｂ〜ＰＸ３ｂ）の画像データに、搭載機器Ｘａ〜ＸｄおよびケーブルＸ１ａ〜Ｘ３ａ，Ｘ１ｂ〜Ｘ３ｂに設置される測定モジュール１１を各像ＰＸａ〜ＰＸｄ，ＰＸ１ａ〜ＰＸ３ａ，ＰＸ１ｂ〜ＰＸ３ｂの各位置に関連付けた情報が付加されて測定対象像データＤｘが構成されている。
【００５３】
なお、この測定対象像データＤｘについては、測定モジュール１１の設置者がデータサーバ３に記憶させる上記の例に代えて、携帯情報端末２の利用者がカメラ２１を用いて配電盤Ｘを撮像して測定対象像データＤｘを生成してデータサーバ３に記憶させてもよい。また、「測定対象を示す測定対象像の画像データ」は、「測定対象」を撮像して生成した「画像データ（撮像データ）」に限定されず、描画によって生成した「測定対象像（一例として、配電盤Ｘの設計データ等に基づいて描画した線画）」の「画像データ」を測定対象像データＤｘとして使用することもできる。
【００５４】
次に、測定システム１００による温度や電圧値の測定処理、および測定結果の表示の方法について、添付図面を参照して説明する。
【００５５】
この測定システム１００の使用に際しては、「測定対象」を特定するための情報の登録作業、「測定対象」の全体像（または、任意の測定部位の像）の測定対象像データＤｘの登録作業、および「測定対象」に測定装置１を接地する設置作業を実施する。なお、この測定システム１００では、複数の「測定対象」についての測定処理および測定結果表示処理を実行することができるが、測定処理および測定結果表示処理についての理解を容易とするために、「測定対象」としての電源装置５０（配電盤Ｘ）についての測定処理および測定結果表示処理だけを実施する例について以下に説明する。
【００５６】
まず、測定装置１によって生成される測定結果データＤ１に基づく測定結果を携帯情報端末２によって表示させる際に、測定結果を表示させるべき「測定対象」が電源装置５０（配電盤Ｘ）であると特定するための識別符号特定用データＤａおよび測定対象位置特定用データＤｂと、測定結果と共に表示させるべき「測定対象の属性」についての属性データＤｃとをデータサーバ３に登録する作業を実施する。
【００５７】
この場合、この測定システム１００では、識別符号特定用データＤａおよび測定対象位置特定用データＤｂのいずれか一方だけを使用して「測定対象」を特定することもできるが、一例として、識別符号特定用データＤａを使用した電源装置５０（配電盤Ｘ）の特定、および測定対象位置特定用データＤｂを使用した電源装置５０（配電盤Ｘ）の特定の双方を実行可能とするために、識別符号特定用データＤａおよび測定対象位置特定用データＤｂの双方をデータサーバ３に登録する例について説明する。また、識別符号特定用データＤａを用いた「測定対象」の特定については、バーコードラベルＬｂおよびＩＣタグＴｇのいずれか一方だけを使用して「測定対象」を特定することもできるが、一例として、バーコードラベルＬｂを使用した電源装置５０（配電盤Ｘ）の特定、およびＩＣタグＴｇを使用した電源装置５０（配電盤Ｘ）の特定の双方を実行可能とする例について説明する。
【００５８】
具体的には、まず、電源装置５０（配電盤Ｘ）に対して個別的に付与する「識別符号」を決定する。次いで、決定した「識別符号」を電源装置５０（配電盤Ｘ）に関連付けて記録して識別符号特定用データＤａを生成すると共に、生成した識別符号特定用データＤａをデータサーバ３に送信して記憶させる。これにより、識別符号特定用データＤａの登録作業が完了する。続いて、上記の「識別符号」を単独で記録して識別符号データＤ３を生成し、生成した識別符号データＤ３をＩＣタグＴｇに記憶させると共に、上記の「識別符号」を示すバーコードを粘着シートに印刷してバーコードラベルＬｂを製作する。なお、上記の識別符号特定用データＤａの生成やデータサーバ３への登録作業、識別符号データＤ３の生成やＩＣタグＴｇへの記憶の作業、およびバーコードラベルＬｂの製作作業については、電源装置５０（配電盤Ｘ）が設置されている場所（測定装置１の設置作業を実施する場所）とは無関係に任意の場所で実施することができる。
【００５９】
この場合、電源装置５０に貼付されている既存のバーコードラベルをバーコードラベルＬｂとして使用するときには、電源装置５０が設置されている場所に移動してバーコードラベルＬｂを撮像し、その撮像データを画像解析処理することによってバーコードラベルＬｂに印刷されている識別符号を特定すると共に、特定した「識別符号」を電源装置５０（配電盤Ｘ）に関連付けて記録して識別符号特定用データＤａを生成したり、特定した「識別符号」を単独で記録して識別符号データＤ３を生成したりする。
【００６０】
また、電源装置５０に配設されている既存のＩＣタグをＩＣタグＴｇとして使用するときには、電源装置５０が設置されている場所に移動してＩＣタグＴｇに記憶されている識別符号データＤ３を読み取り、識別符号データＤ３に記録されている「識別符号」を電源装置５０（配電盤Ｘ）に関連付けて記録して識別符号特定用データＤａを生成したり、識別符号データＤ３に記録されている「識別符号」を示すバーコードを印刷してバーコードラベルＬｂを製作したりする。
【００６１】
続いて、電源装置５０（配電盤Ｘ）が設置されている場所において、携帯情報端末２の測位部２３と同様の測定部を有する情報処理端末（図示せず）を用いて電源装置５０（配電盤Ｘ）の現在位置を測位する。次いで、測位した「現在位置」を電源装置５０（配電盤Ｘ）に関連付けて記録して測定対象位置特定用データＤｂを生成すると共に、生成した測定対象位置特定用データＤｂをデータサーバ３に送信して記憶させる。これにより、測定対象位置特定用データＤｂの登録作業が完了する。なお、上記の「現在位置」の測位については、携帯情報端末２の測位部２３を使用して実施することもできる。
【００６２】
次いで、電源装置５０（配電盤Ｘ）についての前述した「属性」に応じて属性データＤｃを生成すると共に、生成した属性データＤｃをデータサーバ３に送信して記憶させる。これにより、属性データＤｃの登録作業が完了する。続いて、電源装置５０（配電盤Ｘ）に測定装置１等を設置する作業、および配電盤Ｘの全体像の測定対象像データＤｘを登録する作業を実施する。具体的には、まず、電源装置５０の扉５１，５１を開けると共にカバー５２を取り外して配電盤Ｘを露出させ、搭載機器Ｘａ〜ＸｄやケーブルＸ１ａ〜Ｘ３ａ，Ｘ１ｂ〜Ｘ３ｂなどの各測定部位が撮像範囲内に含まれるように、例えば図示しないデジタルスチルカメラによって配電盤Ｘを撮像する。
【００６３】
次いで、撮像された画像データの画像を表示させた状態において、各搭載機器Ｘａ〜Ｘｄや各ケーブルＸ１ａ〜Ｘ３ａ，Ｘ１ｂ〜Ｘ３ｂに設置される各測定モジュール１１を、搭載機器Ｘａの像ＰＸａの位置、搭載機器Ｘｂの像ＰＸｂの位置、搭載機器Ｘｃの像ＰＸｃの位置、搭載機器Ｘｄの像ＰＸｄの位置、ケーブルＸ１ａ，Ｘ１ｂの像ＰＸ１ａ，ＰＸ１ｂの位置、ケーブルＸ２ａ，Ｘ２ｂの像ＰＸ２ａ，ＰＸ２ｂの位置、およびケーブルＸ３ａ，Ｘ３ｂの像ＰＸ３ａ，ＰＸ３ｂの位置にそれぞれ関連付ける情報を生成する。
【００６４】
続いて、配電盤Ｘを撮像した画像データ、および上記の関連付けの情報に基づいて測定対象像データＤｘを生成すると共に、生成した測定対象像データＤｘをデータサーバ３に送信して電源装置５０（配電盤Ｘ）に関連付けて記憶させる。これにより、測定対象像データＤｘの登録作業が完了する。なお、上記の測定対象像データＤｘの生成作業（配電盤Ｘの撮像）については、携帯情報端末２のカメラ２１を使用して実施することもできる。
【００６５】
続いて、電源装置５０の配電盤Ｘに測定装置１を設置する。この際には、通信部１２、処理部１３および記憶部１４が収容された本体部を電源装置５０の筐体内に設置すると共に、配電盤Ｘの搭載機器Ｘａ〜ＸｄおよびケーブルＸ１ａ〜Ｘ３ａ，Ｘ１ｂ〜Ｘ３ｂなどに各測定モジュール１１を設置する。この際には、温度測定用の測定モジュール１１を搭載機器Ｘａ〜Ｘｄおよび配電盤Ｘの表面にそれぞれ装着し、かつ、電流測定用の測定モジュール１１をケーブルＸ１ａ，Ｘ１ｂ、ケーブルＸ２ａ，Ｘ２ｂ、およびケーブルＸ３ａ，Ｘ３ｂにそれぞれ装着して処理部１３に接続する。次いで、通信部１２を通信ネットワークＮに接続する。次いで、図２に示すように、電源装置５０の扉５１に特定用マークＭａやバーコードラベルＬｂを貼付すると共に、取っ手５１ａにＩＣタグＴｇを吊り下げる。これにより、測定装置１等の設置作業が完了する。
【００６６】
次いで、測定装置１の図示しない操作部を操作して（または、通信ネットワークＮを介して遠隔操作して）配電盤Ｘについての「測定処理」の処理条件を設定する。この際には、一例として、各測定モジュール１１を用いて毎正時に「温度」や「電流値」を測定し、その測定結果を示す測定結果データＤ１をデータサーバ３に送信するように設定する。以上により、測定システム１００による「測定処理」および「測定結果表示処理」を実行する準備が整う。
【００６７】
この後、測定装置１の図示しない操作部の操作（または、通信ネットワークＮを介しての遠隔操作）によって「測定処理」の開始が指示されたときに、処理部１３は、毎正時毎に各測定モジュール１１を制御して「温度」や「電流値」を測定させると共に、各測定モジュール１１から出力される測定値データＤ０を記憶部１４に記憶させる。また、処理部１３は、記憶部１４に記憶させた測定値データＤ０に基づいて測定結果データＤ１を生成すると共に、生成した測定結果データＤ１を通信部１２からデータサーバ３に送信させて電源装置５０（配電盤Ｘ）に関連付けて記憶させる。これにより、電源装置５０（配電盤Ｘ）についての測定結果データＤ１が１時間毎にデータサーバ３に順次記憶される。
【００６８】
一方、電源装置５０の保守管理者が配電盤Ｘの動作状態を点検する際には、測定結果表示用プログラムＤｐをインストールした携帯情報端末２を携帯して電源装置５０（配電盤Ｘ）の設置場所に移動する。次いで、携帯情報端末２の操作部２６を操作して測定結果表示用プログラムＤｐを起動させて、図示しないメニュー画面から「測定対象の特定」との処理を選択する。この際に、処理部２８は、識別符号特定用データＤａおよび測定対象位置特定用データＤｂが記憶部２９に記憶されているか否かを判別し、記憶されていないときには、通信部２５を制御してデータサーバ３から識別符号特定用データＤａおよび測定対象位置特定用データＤｂを送信させて記憶部２９に記憶させる。次いで、処理部２８は、以下に説明する特定方法Ａ〜Ｃの３種類の方法のうちから利用者によって選択された方法で「測定対象」を特定する。
【００６９】
まず、特定方法Ａが選択されたときには、バーコードラベルＬｂおよび識別符号特定用データＤａに基づいて「測定対象」を特定する（「測定対象特定処理」の一例）。具体的には、この特定方法Ａでは、電源装置５０の扉５１に貼付されているバーコードラベルＬｂをカメラ２１によって撮像する。この際に、処理部２８は、測定結果表示用プログラムＤｐの記述に従い、カメラ２１から出力された撮像データＤ４を対象とする画像解析処理を実行し、撮像データＤ４の画像（この例では、バーコードラベルＬｂのバーコード）の「識別符号（「識別符号表示によって示されている識別符号」の一例）」を特定する。次いで、処理部２８は、特定した「識別符号」に関連付けられている「測定対象」が識別符号特定用データＤａに記録されているか否かを検索する。これにより、特定した「識別符号」に関連付けられている「測定対象」が電源装置５０（配電盤Ｘ）であると特定される。
【００７０】
また、特定方法Ｂが選択されたときには、ＩＣタグＴｇおよび識別符号特定用データＤａに基づいて「測定対象」を特定する（「測定対象特定処理」の他の一例）。具体的には、この特定方法Ｂでは、電源装置５０の取っ手５１ａに吊り下げられているＩＣタグＴｇに携帯情報端末２のＩＣタグリーダー２２接近させてＩＣタグＴｇから識別符号データＤ３を読み取る。この際に、処理部２８は、ＩＣタグリーダー２２によって読み取られた識別符号データＤ３に記録されている「識別符号」を特定し、特定した「識別符号」に関連付けられている「測定対象」が識別符号特定用データＤａに記録されているか否かを検索する。これにより、特定した「識別符号」に関連付けられている「測定対象」が電源装置５０（配電盤Ｘ）であると特定される。
【００７１】
さらに、特定方法Ｃが選択されたときには、携帯情報端末２の現在位置（すなわち、電源装置５０（配電盤Ｘ）の現在位置）についての測位結果と測定対象位置特定用データＤｂとに基づいて「測定対象」を特定する（「測定対象特定処理」のさらに他の一例）。具体的には、この特定方法Ｃでは、電源装置５０（配電盤Ｘ）の近傍に位置した状態において現在位置の測位を開始させる。この際に、処理部２８は、測位部２３を制御して携帯情報端末２の現在位置を測位させ、測位部２３は、ＧＰＳ衛星４，４・・からのＧＰＳ信号Ｓｇを受信して現在位置を測位して、その測位結果を測位データＤ２として処理部２８に出力する。また、処理部２８は、測位データＤ２によって特定される位置に関連付けられた「測定対象」が測定対象位置特定用データＤｂに記録されているか否かを検索する。これにより、現在位置に位置している「測定対象」が電源装置５０（配電盤Ｘ）であると特定される。
【００７２】
次いで、処理部２８は、上記の「測定対象特定処理」によって特定した「測定対象（本例では、電源装置５０の配電盤Ｘ）」を対象とする測定結果表示処理を開始する。具体的には、処理部２８は、測定結果表示用プログラムＤｐの記述に従い、まず、特定された電源装置５０（配電盤Ｘ）についての測定対象像データＤｘ、測定結果データＤ１および属性データＤｃが記憶部２９に記憶されているか否かを判別する。この際に、電源装置５０（配電盤Ｘ）についての測定対象像データＤｘ、測定結果データＤ１および属性データＤｃのうちのいずれか、または、すべてが記憶されていないときには、通信部２５を制御して、電源装置５０（配電盤Ｘ）に対応付けられている測定対象像データＤｘ、測定結果データＤ１および属性データＤｃのうちから、不足するデータ（記憶部２９に記憶されていないデータ）をデータサーバ３から送信させて記憶部２９に記憶させる（「画像データ取得処理」および「測定結果データ取得処理」の一例）。
【００７３】
次いで、処理部２８は、測定結果表示用プログラムＤｐの記述に従い、一例として、「カメラを測定対象に向けて下さい」とのメッセージを表示部２７に表示させると共に（図示せず）、カメラ２１を制御して撮像処理を開始させる。また、処理部２８は、図５に示すうに、カメラ２１から出力される撮像データＤ４に基づく画像を表示部２７に表示させる。この際に、処理部２８は、撮像データＤ４を画像解析することにより、電源装置５０に貼付されている４つの特定用マークＭａのうちのいずれかが撮像範囲に含まれていないと判別したときには、一例として、「測定対象から離れて下さい」とのメッセージを表示部２７に表示させる（図示せず）。これにより、携帯情報端末２（カメラ２１）を手にした利用者が電源装置５０から離間することにより、カメラ２１による撮像範囲内に４つの特定用マークＭａのすべてが含まれる状態となる。
【００７４】
また、撮像データＤ４の解析によって特定用マークＭａの像を検出することができなかったときに、処理部２８は、一例として、「測定対象に近付いて下さい」とのメッセージを表示部２７に表示させる（図示せず）。これにより、携帯情報端末２（カメラ２１）を手にした利用者が電源装置５０に接近することにより、特定用マークＭａの像を検出可能な撮像データＤ４がカメラ２１から出力される状態となる。
【００７５】
一方、電源装置５０に貼付されている４つの特定用マークＭａの像を正常に検出し得る撮像データＤ４がカメラ２１から出力されたとき（電源装置５０との離間距離が適当な距離範囲内で、かつ、カメラ２１を向けた先に電源装置５０（配電盤Ｘ）が存在する状態となっているとき）に、処理部２８は、測定結果表示用プログラムＤｐの記述に従い、測定結果表示画面３０を表示部２７に表示させる。この際に、処理部２８は、図６に示すように、測定対象像データＤｘに基づく像ＰＸを測定結果表示画面３０内に表示させると共に、測定結果データＤ１に基づく測定結果表示３２ａ〜３２ｄ，３３ａ〜３３ｃを像ＰＸに重ねて測定結果表示画面３０内に表示させ、かつ属性データＤｃに基づく属性情報表示３１を測定結果表示画面３０内に表示させる。
【００７６】
具体的には、処理部２８は、測定結果データＤ１に記録されている各測定モジュール１１による測定値をそれぞれ特定すると共に、測定対象像データＤｘに記録されている各測定モジュール１１による各「測定部位」の位置をそれぞれ特定する。次いで、処理部２８は、配電盤Ｘの搭載機器Ｘａに設置されている測定モジュール１１の測定結果を示す測定結果表示３２ａを搭載機器Ｘａの像ＰＸａに重ねて表示させ、搭載機器Ｘｂに設置されている測定モジュール１１の測定結果を示す測定結果表示３２ｂを搭載機器Ｘｂの像ＰＸｂに重ねて表示させ、搭載機器Ｘｃに設置されている測定モジュール１１の測定結果を示す測定結果表示３２ｃを搭載機器Ｘｃの像ＰＸｃに重ねて表示させ、かつ搭載機器Ｘｄに設置されている測定モジュール１１の測定結果を示す測定結果表示３２ｄを搭載機器Ｘｄの像ＰＸｄに重ねて表示させる。
【００７７】
また、処理部２８は、ケーブルＸ１ａ，Ｘ１ｂに設置されている測定モジュール１１の測定結果を示す測定結果測定結果表示３３ａをケーブルＸ１ａの像ＰＸ１ａ（または、ケーブルＸ１ｂの像ＰＸ１ｂ）に重ねて表示させ、ケーブルＸ２ａ，Ｘ２ｂに設置されている測定モジュール１１の測定結果を示す測定結果測定結果表示３３ａをケーブルＸ２ａの像ＰＸ２ａ（または、ケーブルＸ２ｂの像ＰＸ２ｂ）に重ねて表示させ、かつケーブルＸ３ａ，Ｘ３ｂに設置されている測定モジュール１１の測定結果を示す測定結果測定結果表示３３ａをケーブルＸ３ａの像ＰＸ３ａ（または、ケーブルＸ３ｂの像ＰＸ３ｂ）に重ねて表示させる。さらに、処理部２８は、属性データＤｃに基づき、電源装置５０（配電盤Ｘ）に関する前述した「属性」を示す文字列（図示を省略する）からなる属性情報表示３１を測定結果表示画面３０内に表示させる。
【００７８】
これにより、同図に示すように、各搭載機器Ｘａ〜Ｘｄについて測定された測定結果表示３２ａ〜３２ｄ（この例では、搭載機器Ｘａ〜Ｘｄのそれぞれの温度を示す数値：以下、これらを区別しないときには「測定結果表示３２」ともいう）や、各ケーブルＸ１ａ〜Ｘ３ａ，Ｘ１ｂ〜Ｘ３ｂについて測定された測定結果表示３２ａ〜３２ｄ（この例では、各ケーブルＸ１ａ〜Ｘ３ａ，Ｘ１ｂ〜Ｘ３ｂを流れる電流の電流値を示す数値：以下、これらを区別しないときには「測定結果表示３３」ともいう）が、搭載機器Ｘａ〜ＸｄやケーブルＸ１ａ〜Ｘ３ａ，Ｘ１ｂ〜Ｘ３ｂの像ＰＸａ〜ＰＸｄ，ＰＸ１ａ〜ＰＸ３ａ，ＰＸ１ｂ〜ＰＸ３ｂの位置に対応付けられて測定結果表示画面３０内にそれぞれ表示され、併せて、電源装置５０（配電盤Ｘ）に関する各種の「属性」を特定可能な属性情報表示３１が測定結果表示画面３０内に表示される。
【００７９】
この場合、本例の測定システム１００（携帯情報端末２）では、扉５１，５１を閉じ、かつカバー５２を装着した状態のまま、電源装置５０（配電盤Ｘ）に向けて携帯情報端末２をかざす（電源装置５０（配電盤Ｘ）にカメラ２１を向ける）ことで、扉５１，５１およびカバー５２の奥に存在する配電盤Ｘの各搭載機器Ｘａ〜Ｘｄや各ケーブルＸ１ａ〜Ｘ３ａ，Ｘ１ｂ〜Ｘ３ｂについての測定装置１による測定結果や、電源装置５０（配電盤Ｘ）の属性を示す属性情報表示３１が測定結果表示画面３０内に表示される。
【００８０】
したがって、この測定システム１００（携帯情報端末２）を用いた保守作業に際しては、出願人が開示しているクランプ式電流計を使用した保守作業時とは異なり、保守作業の度に各ケーブルＸ１ａ〜Ｘ３ａ，Ｘ１ｂ〜Ｘ３ｂ等をクランプセンサによってクランプする作業を行うことなく、測定結果を得ることができる。また、属性情報表示３１の表示により、測定結果に対応する「測定対象」の属性を把握することができる結果、例えば、測定結果として異常な結果が表示されているときに、そのような表示結果が得られた理由を容易に推定することができ、また、必要に応じて各種の対策を施すことも可能となる。
【００８１】
また、本例の測定システム１００（携帯情報端末２）では、単に各搭載機器Ｘａ〜Ｘｄおよび各ケーブルＸ１ａ〜Ｘ３ａ，Ｘ１ｂ〜Ｘ３ｂについての測定結果が表示されるのではなく、各搭載機器Ｘａ〜Ｘｄおよび各ケーブルＸ１ａ〜Ｘ３ａ，Ｘ１ｂ〜Ｘ３ｂについての各測定結果表示３２，３３が、配電盤Ｘの像ＰＸにおける各搭載機器Ｘａ〜Ｘｄおよび各ケーブルＸ１ａ〜Ｘ３ａ，Ｘ１ｂ〜Ｘ３ｂの像ＰＸａ〜ＰＸｄ，ＰＸ１ａ〜ＰＸ３ａ，ＰＸ１ｂ〜ＰＸ３ｂに重なって測定結果表示画面３０に表示される（「測定結果を測定対象像に対応させて測定結果表示画面に表示させる」との処理の一例）。したがって、この測定システム１００（携帯情報端末２）では、携帯情報端末２（表示部２７）から視線を外したとしても、再び測定結果表示画面３０を見たときに、配電盤Ｘにおける搭載機器Ｘａ〜Ｘｄおよび各ケーブルＸ１ａ〜Ｘ３ａ，Ｘ１ｂ〜Ｘ３ｂ等の各「測定部位」についての測定結果がどのような測定値であるかを確実かつ容易に認識することが可能となっている。
【００８２】
一方、測定結果表示画面３０内に表示されている各像ＰＸａ〜ＰＸｄ，ＰＸ１ａ〜ＰＸ３ａ，ＰＸ１ｂ〜ＰＸ３ｂや各測定結果表示３２，３３が小さ過ぎて読み取りが困難なときには、これらを拡大して表示させる。具体的には、配電盤Ｘにおける各搭載機器Ｘａ〜Ｘｄおよび各ケーブルＸ１ａ〜Ｘ３ａ，Ｘ１ｂ〜Ｘ３ｂのうちの搭載機器Ｘａ，Ｘｂについての測定結果を拡大して表示させるときには、携帯情報端末２のカメラ２１を電源装置５０（配電盤Ｘ）に向けたまま電源装置５０（配電盤Ｘ）に接近する。この際に、処理部２８は、カメラ２１からの撮像データＤ４の画像解析処理の結果、およびＧセンサ２４からの加速度データＤ５に基づき、カメラ２１やＧセンサ２４（すなわち携帯情報端末２）が電源装置５０（配電盤Ｘ）に接近したと判別する（「位置検出部によって測定対象に対する測定結果表示装置の位置の変化が検出されたとき」の一例）。
【００８３】
また、処理部２８は、撮像データＤ４の解析結果や加速度データＤ５に基づき、携帯情報端末２の移動量を演算すると共に、図７に示すように、その演算結果に応じて測定結果表示画面３０内の像ＰＸを拡大して表示させる（「検出された位置の変化に対応させて測定対象像の大きさを変化させる」との処理の一例）。さらに、処理部２８は、拡大した像ＰＸにおける像ＰＸａ，ＰＸｂの位置に測定結果表示３２ａ，３２ｂを拡大して表示させる。これにより、配電盤Ｘの全体像である像ＰＸの各所に各測定結果表示３２，３３を表示させていた状態と比較して、搭載機器Ｘａ，Ｘｂの測定結果（この例では、像ＰＸａ，ＰＸｂに重なって表示された測定結果表示３２ａ，３２ｂ）の視認性が向上する。なお、同図、および後に参照する図８〜１１の例では、図６に示す例において測定結果表示画面３０内に表示させていた属性情報表示３１を非表示としているが、この属性情報表示３１を測定結果表示画面３０内に表示させた状態を維持させることもできる。
【００８４】
なお、本例とは相違するが、携帯情報端末２が電源装置５０（配電盤Ｘ）から離間させられたときには、処理部２８は、カメラ２１からの撮像データＤ４の画像解析処理の結果、およびＧセンサ２４からの加速度データＤ５に基づき、カメラ２１やＧセンサ２４（すなわち携帯情報端末２）が電源装置５０（配電盤Ｘ）から離間したと判別する（「位置検出部によって測定対象に対する測定結果表示装置の位置の変化が検出されたとき」の他の一例）。この際に、処理部２８は、撮像データＤ４の解析結果や加速度データＤ５に基づき、携帯情報端末２の移動量を演算すると共に、その演算結果に応じて測定結果表示画面３０内の像ＰＸを縮小して表示させると共に（「検出された位置の変化に対応させて測定対象像の大きさを変化させる」との処理の他の一例：図示せず）、縮小した像ＰＸの各部に測定結果表示３２，３３等を縮小して表示させる。
【００８５】
また、搭載機器Ｘａ，Ｘｂについての測定結果表示３２ａ，３２ｂを測定結果表示画面３０に表示させている状態において、この測定結果表示３２ａ，３２ｂに代えて、搭載機器Ｘｃ，Ｘｄについての測定結果を表示させるときには、携帯情報端末２を右方向に向ける。この際に、処理部２８は、Ｇセンサ２４からの加速度データＤ５に基づき、Ｇセンサ２４（すなわち携帯情報端末２）が電源装置５０（配電盤Ｘ）に対して右向きに移動させられたと判別する（「姿勢検出部によって測定対象に対する測定結果表示装置の姿勢の変化が検出されたとき」の一例）。なお、Ｇセンサ２４からの加速度データＤ５に代えて、カメラ２１からの撮像データＤ４を画像解析することにより、例えば特定用マークＭａの像の位置が変化したときに、帯情報端末２が電源装置５０（配電盤Ｘ）に対して右向きに移動させられたと判別させることもできる（「姿勢検出部によって測定対象に対する測定結果表示装置の姿勢の変化が検出されたとき」の他の一例）。
【００８６】
また、処理部２８は、加速度データＤ５（または、撮像データＤ４の解析結果）に基づき、携帯情報端末２の姿勢の変化方向および変化量を演算すると共に、図８に示すように、その演算結果に応じて測定結果表示画面３０内の像ＰＸをスクロールして表示させる（「検出された姿勢の変化に対応させて測定対象像の表示位置を変化させる」との処理の他の一例）。これにより、搭載機器Ｘａ，Ｘｂの像ＰＸａ，ＰＸｂ等に代わって搭載機器Ｘｃ，Ｘｄの像ＰＸｃ，ＰＸｄが測定結果表示画面３０内に表示される。さらに、処理部２８は、配電盤Ｘの像ＰＸにおける像ＰＸｂ，ＰＸｄの位置に測定結果表示３２ｃ，３２ｄを表示させる。これにより、配電盤Ｘの全体像である像ＰＸの各所に各測定結果表示３２，３３を表示させていた状態と比較して、搭載機器Ｘｃ，Ｘｄの測定結果（この例では、像ＰＸｃ，ＰＸｄに重なって表示された測定結果表示３２ｃ，３２ｄ）の視認性が向上する。
【００８７】
一方、上記の例とは相違するが、本例の測定システム１００（携帯情報端末２）では、図６に示すように、配電盤Ｘの全体像である像ＰＸの各所に測定結果表示３２，３３を表示させている状態において、測定結果表示３３ａ〜３３ｃが小さ過ぎて読み取りが困難なときに、数値（この例では、測定された温度を示す数値）による測定結果の表示に代えて、配電盤Ｘにおける各測定部位（この例では、搭載機器Ｘａ〜Ｘｄおよび配電盤Ｘの表面）についての測定結果を、測定温度範囲毎に予め規定された表示色の図柄によって表示させることができる。
【００８８】
具体的には、測定された温度を図柄によって表示させる表示モードが選択されたときに、処理部２８は、測定結果表示用プログラムＤｐの記述に従い、図９に示すように、搭載機器Ｘａについて測定結果が測定された部位（測定部位）を特定させる測定結果表示４２ａ、搭載機器Ｘｂについて測定結果が測定された部位（測定部位）を特定させる測定結果表示４２ｂ、搭載機器Ｘｃについて測定結果が測定された部位（測定部位）を特定させる測定結果表示４２ｃ、搭載機器Ｘｄについて測定結果が測定された部位（測定部位）を特定させる測定結果表示４２ｄ、および配電盤Ｘの表面について測定結果が測定された部位（測定部位：この例では、配電盤Ｘにおける搭載機器Ｘａ〜Ｘｄ以外の全域）を特定させる測定結果表示４２ｘを配電盤Ｘの像ＰＸに重ねて測定結果表示画面３０に表示させる。なお、この例では、測定結果表示４２ａ〜４２ｄ，４２ｘ（以下、区別しないときには「測定結果表示４２」ともいう）が「測定部位特定表示」に相当する。また、同図では、各測定結果表示４２の表示色の違いを、塗り潰し模様の相違で表している。
【００８９】
この際に、処理部２８は、搭載機器Ｘａについての測定値（温度）に対応する表示色で測定結果表示４２ａを表示させ、搭載機器Ｘｂについての測定値（温度）に対応する表示色で測定結果表示４２ｂを表示させ、搭載機器Ｘｃについての測定値（温度）に対応する表示色で測定結果表示４２ｃを表示させ、搭載機器Ｘｄについての測定値（温度）に対応する表示色で測定結果表示４２ｄを表示させ、かつ配電盤Ｘの表面についての測定値（温度）に対応する表示色で測定結果表示４２ｘを表示させる。また、処理部２８は、各測定値レベル範囲（この例では、１０℃刻みの温度範囲）毎に予め規定された表示色を示す温度範囲表示４１を測定結果表示画面３０内に表示させる。これにより、各測定結果表示４２がどのような表示色で表示されているかに基づき、配電盤Ｘにおける各測定部位の温度がどの程度であるかを容易に認識することが可能となる。
【００９０】
なお、本例とは相違するが、「測定対象」としてのブレーカ（図示せず）についての温度を各相毎にそれぞれ測定した場合に、上記の図９の例のような「測定結果表示」をブレーカの像に重ねて表示させる（測定値（温度）に対応する表示色でブレーカの各相を塗り潰して表示させる）ことにより、例えば、電源ケーブルの固定用ねじに緩みが生じて発熱している相を容易に発見することが可能となる。
【００９１】
一方、図８に示すように、搭載機器Ｘｃ，Ｘｄの像ＰＸｃ，ＰＸｄに測定結果表示３２ｃ，３２ｄを重ねた状態で測定結果表示画面３０に表示させている状態において、ケーブルＸ１ａ，Ｘ１ｂを流れる電流の電流値、ケーブルＸ２ａ，Ｘ２ｂを流れる電流の電流値、およびケーブルＸ３ａ，Ｘ３ｂを流れる電流の電流値を測定結果表示画面３０に表示させるときには、携帯情報端末２を、やや上向きに向けると共に、電源装置５０（配電盤Ｘ）に接近する。
【００９２】
この際に、処理部２８は、Ｇセンサ２４からの加速度データＤ５に基づき、Ｇセンサ２４（すなわち携帯情報端末２）が電源装置５０（配電盤Ｘ）に対して上向きに移動させられたと判別すると共に（「姿勢検出部によって測定対象に対する測定結果表示装置の姿勢の変化が検出されたとき」の他の一例）、カメラ２１からの撮像データＤ４およびＧセンサ２４からの加速度データＤ５に基づき、カメラ２１やＧセンサ２４（すなわち携帯情報端末２）が電源装置５０（配電盤Ｘ）に接近したと判別する（「位置検出部によって測定対象に対する測定結果表示装置の位置の変化が検出されたとき」の他の一例）。
【００９３】
また、処理部２８は、撮像データＤ４についての画像解析結果、および加速度データＤ５に基づき、携帯情報端末２の移動量や、姿勢の変化方向および変化量を演算すると共に、図１０に示すように、その演算結果に応じて測定結果表示画面３０内の像ＰＸをスクロールさせつつ拡大する（「測定対象像を、検出された変化に対応させて測定結果表示画面内で変化させて表示させる」との処理のさらに他の一例）。これにより、ケーブルＸ１ａ，Ｘ１ｂを流れる電流の電流値を示す測定結果表示４３ａ、ケーブルＸ２ａ，Ｘ２ｂを流れる電流の電流値を示す測定結果表示４３ｂ、およびケーブルＸ３ａ，Ｘ３ｂを流れる電流の電流値を示す測定結果表示４３ｃが、ケーブルＸ１ａ〜Ｘ３ａ，Ｘ１ｂ〜Ｘ３ｂの像ＰＸ１ａ〜ＰＸ３ａ，ＰＸ１ｂ〜ＰＸ３ｂに重なって測定結果表示画面３０内に大きく表示される。
【００９４】
また、本例の測定システム１００（携帯情報端末２）では、数値によって測定結果が表示される測定結果表示３３ａ〜３３ｃの読み取りが困難なときに、この測定結果表示３３ａ〜３３ｃに代えて、配電盤Ｘにおける各測定部位（この例では、ケーブルＸ１ａ〜Ｘ３ａ，Ｘ１ｂ〜Ｘ３ｂ）についての測定結果を、測定値範囲毎に予め規定された表示色の図柄によって表示させることができる。
【００９５】
具体的には、測定された電流値を図柄によって表示させる表示モードが選択されたときに、処理部２８は、測定結果表示用プログラムＤｐの記述に従い、図１１に示すように、ケーブルＸ１ａ，Ｘ１ｂについて測定結果が測定された部位（測定部位：すなわち、ケーブルＸ１ａ，Ｘ１ｂ）を特定させる測定結果表示４３ａ、ケーブルＸ２ａ，Ｘ２ｂについて測定結果が測定された部位（測定部位：すなわち、ケーブルＸ２ａ，Ｘ２ｂ）を特定させる測定結果表示４３ｂ、およびケーブルＸ３ａ，Ｘ３ｂについて測定結果が測定された部位（測定部位：すなわち、ケーブルＸ３ａ，Ｘ３ｂ）を特定させる測定結果表示４３ｃを配電盤Ｘの像ＰＸに重ねて測定結果表示画面３０に表示させる。なお、この例では、測定結果表示４３ａ〜４３ｃ（以下、区別しないときには「測定結果表示４３」ともいう）が「測定部位特定表示」に相当する。また、同図では、各測定結果表示４３２の表示色の違いを、線種の相違で表している。
【００９６】
この際に、処理部２８は、ケーブルＸ１ａ，Ｘ１ｂについての測定値（電流値）に対応する表示色で測定結果表示４３ａを表示させ、ケーブルＸ２ａ，Ｘ２ｂについての測定値（電流値）に対応する表示色で測定結果表示４３ｂを表示させ、かつケーブルＸ３ａ，Ｘ３ｂについての測定値（電流値）に対応する表示色で測定結果表示４３ｃを表示させる。また、処理部２８は、各測定値レベル範囲（この例では、１０Ａ刻みの電流値範囲）毎に予め規定された表示色を示す電流値範囲表示４１ａを測定結果表示画面３０内に表示させる。これにより、各測定結果表示４３がどのような表示色で表示されているかに基づき、配電盤Ｘにおける各測定部位の電流値がどの程度であるかを容易に認識することが可能となる。
【００９７】
このように、この携帯情報端末２（測定結果表示用プログラムＤｐがインストールされた携帯情報端末２）では、処理部２８が、測定結果表示処理において、測定対象（本例では、配電盤Ｘ）を示す像ＰＸ（測定対象像）を測定結果表示画面３０に表示させると共に、測定結果データＤ１に基づく測定結果表示３２ａ〜３２ｄ，３３ａ〜３３ｃ，４２ａ〜４２ｄ，４２ｘ，４３ａ〜４３ｃを像ＰＸに対応させて測定結果表示画面３０に表示させる。また、この測定結果表示用プログラムＤｐでは、配電盤Ｘを示す像ＰＸを測定結果表示画面３０に表示させると共に、測定結果データＤ１に基づく測定結果表示３２ａ〜３２ｄ，３３ａ〜３３ｃ，４２ａ〜４２ｄ，４２ｘ，４３ａ〜４３ｃを像ＰＸに対応させて測定結果表示画面３０に表示させる測定結果表示処理を携帯情報端末２の処理部２８に実行させるように記述されている。
【００９８】
したがって、この携帯情報端末２および測定結果表示用プログラムＤｐによれば、測定結果表示画面３０に表示されている各測定結果表示３２，３３，４２，４３等が、いずれの「測定部位」についての測定結果を示しているかを確実かつ容易に認識することができる。これにより、この携帯情報端末２および測定結果表示用プログラムＤｐによれば、この種の装置の操作に不慣れな利用者であっても、確実かつ容易に測定結果を得ることができる。
【００９９】
また、この携帯情報端末２によれば、配電盤Ｘ（電源装置５０）に対する携帯情報端末２の位置の変化が検出されたときに、検出された位置の変化に対応させて像ＰＸの大きさを変化させると共に、配電盤Ｘ（電源装置５０）に対する携帯情報端末２の姿勢の変化が検出されたときに、検出された姿勢の変化に対応させて像ＰＸの表示位置を変化させることにより、例えば、測定結果表示画面３０内の像ＰＸ等を拡大・縮小させたりスクロールさせたりする操作（測定結果表示画面３０に対するピンチイン操作、ピンチアウト操作およびスライド操作等）を行うことなく、電源装置５０（配電盤Ｘ）に対して携帯情報端末２を接近または離間させたり、電源装置５０（配電盤Ｘ）に対する携帯情報端末２の姿勢（向き等）を変更したりするだけで、電源装置５０（配電盤Ｘ）に対する位置や姿勢の変化に対応して測定結果表示画面３０内の像ＰＸの大きさや表示位置を変化させることができるため、恰も、測定結果表示画面３０内に現実の電源装置５０（配電盤Ｘ）が存在しているかのような極く自然な感覚で測定結果表示画面３０内の配電盤Ｘの像ＰＸを拡大・縮小させたり移動させたりすることができる。したがって、この種の装置の操作に不慣れな利用者であっても、一層確実、かつ一層容易に測定結果を得ることができる。
【０１００】
さらに、この携帯情報端末２によれば、「測定結果」が測定された測定部位を特定させる測定結果表示４２ａ〜４２ｄ，４２ｘ，４３ａ〜４３ｃを像ＰＸに重ねて測定結果表示画面３０に表示させると共に、複数の測定値レベル範囲毎に予め規定された複数種類の表示色のうちの測定結果データＤ１の測定値に対応する表示色で測定結果表示４２ａ〜４２ｄ，４２ｘ，４３ａ〜４３ｃを表示させることで「測定結果」を表示させることにより、数値による測定結果の読み取りが困難な場合にも、測定結果を直感的に認識することができる。したがって、この種の装置の操作に不慣れな利用者であっても、一層確実、かつ一層容易に測定結果を得ることができる。
【０１０１】
また、この携帯情報端末２によれば、処理部２８が、測定結果表示処理に先立ち、「測定対象特定データ」に基づいて測定対象を特定する測定対象特定処理を実行すると共に、測定結果表示処理において、測定対象特定処理によって特定した測定対象の測定対象像データＤｘに基づく像ＰＸ、および特定した測定対象の測定結果データＤ１に基づく測定結果表示３２ａ〜３２ｄ，３３ａ〜３３ｃ，４２ａ〜４２ｄ，４２ｘ，４３ａ〜４３ｃを測定結果表示画面３０に表示させることにより、測定結果を表示すべき「測定対象」を指定する煩雑な操作を行うことなく、利用者の目の前（携帯情報端末２の近傍）に存在する「測定対象」を正確かつ容易に特定することができるため、他の「測定対象」についての測定結果が誤って表示される事態を確実に回避しつつ、一層確実、かつ一層容易に測定結果を得ることができる。
【０１０２】
さらに、この携帯情報端末２によれば、処理部２８が、測定対象特定処理において、カメラ２１から出力されるバーコードラベルＬｂを撮像した撮像データＤ４を画像解析処理してバーコードラベルＬｂによって示されている識別符号を特定し、かつ、特定した識別符号と、測定対象に付与された識別符号が測定対象に関連付けて記録された識別符号特定用データＤａとに基づき、特定した識別符号が付与されている測定対象を特定することにより、ＧＰＳ信号Ｓｇを受信不能な位置に「測定対象」が存在するとき、「測定対象」が移動体であるとき（現在位置が逐次変化する可能性があるとき）、および「測定対象」にＩＣタグＴｇを配設するのが困難なときであっても、カメラ２１によってバーコードラベルＬｂを撮像して撮像データＤ４を画像解析処理することで「識別符号」を特定することができ、特定した「識別符号」と識別符号特定用データＤａとに基づいて「測定対象」を正確かつ容易に特定することができる。
【０１０３】
また、この携帯情報端末２によれば、処理部２８が、測定対象特定処理において、ＩＣタグリーダー２２を制御して測定対象毎に付与された識別符号の識別符号データＤ３をＩＣタグＴｇから読み取らせ、かつＩＣタグリーダー２２によって読み取られた識別符号データＤ３と、測定対象に付与された識別符号が測定対象に関連付けて記録された識別符号特定用データＤａとに基づき、識別符号データＤ３の識別符号が付与されている測定対象を特定することにより、ＧＰＳ信号Ｓｇを受信不能な位置に「測定対象」が存在するとき、「測定対象」が移動体であるとき（現在位置が逐次変化する可能性があるとき）、および「測定対象」にバーコードラベルＬｂを貼付するのが困難なときであっても、ＩＣタグリーダー２２によってＩＣタグＴｇから識別符号データＤ３を読み取って識別符号特定用データＤａと比較することで「測定対象」を正確かつ容易に特定することができる。
【０１０４】
さらに、この携帯情報端末２によれば、処理部２８が、測定対象特定処理において、測位部２３から出力された測位データＤ２と、測定対象の位置が測定対象に関連付けて記録された測定対象位置特定用データＤｂとに基づき、現在位置に位置している測定対象を特定することにより、「測定対象」にＩＣタグＴｇを配設するのが困難なときや、「測定対象」にバーコードラベルＬｂを貼付するのが困難なときであっても、「測定対象」の位置、すなわち、測定結果表示処理の実行位置において測位部２３によって現在位置を測位して測定対象位置特定用データＤｂと比較するだけで、その「測定対象」を正確かつ容易に特定することができる。
【０１０５】
また、この携帯情報端末２によれば、処理部２８が、測定対象特定処理によって特定した測定対象の属性データＤｃに基づく「測定対象の属性」を示す属性情報表示３１を測定結果表示画面３０に表示させることにより、測定結果表示画面３０に表示されている測定結果と、その測定結果に対応する「測定対象」の属性とを相互に関連付けて容易に把握することができる。
【０１０６】
また、この携帯情報端末２によれば、処理部２８が、通信部２５を制御して測定結果データＤ１をデータサーバ３から送信させて取得する測定結果データ取得処理を実行することにより、例えば、「測定対象」の数が多数で、測定結果データＤ１が多数存在する場合であっても、測定結果表示処理の開始時にデータサーバ３から測定結果データＤ１を取得して記憶部２９に記憶させればよいため、携帯情報端末２の記憶部２９における貴重な記憶領域が多数の測定結果データＤ１によって占有されて、他の各種データを記憶可能な記憶領域が不足する事態を回避することができる。また、複数の携帯情報端末２によって１つの「測定対象」についての測定結果を表示させる可能性があるときに、各携帯情報端末２に測定結果データＤ１をそれぞれ記憶させておくことなく、測定結果表示処理を実行する携帯情報端末２が必要に応じて測定結果データＤ１を取得すればよいため、測定装置１による測定処理を繰り返して実行するような使用形態において、測定結果表示処理において使用する測定結果データＤ１を最新の測定結果データＤ１に容易に更新することができる。
【０１０７】
さらに、この携帯情報端末２によれば、処理部２８が、通信部２５を制御して測定対象像データＤｘをデータサーバ３から送信させて取得する画像データ取得処理を実行することにより、例えば、「測定対象」の数が多数で、測定対象像データＤｘが多数存在する場合であっても、測定結果表示処理の開始時にデータサーバ３から測定対象像データＤｘを取得して記憶部２９に記憶させればよいため、携帯情報端末２の記憶部２９における貴重な記憶領域が多数の測定対象像データＤｘによって占有されて、他の各種データを記憶可能な記憶領域が不足する事態を回避することができる。また、複数の携帯情報端末２によって１つの「測定対象」についての測定結果を表示させる可能性があるときに、各携帯情報端末２に測定対象像データＤｘをそれぞれ記憶させておくことなく、測定結果表示処理を実行する携帯情報端末２が必要に応じて測定対象像データＤｘを取得すればよいため、測定対象像データＤｘを生成する処理を１つの「測定対象」に関して１回実行するだけで、各携帯情報端末２によってその「測定対象」についての測定対象像データＤｘを共用することができる。
【０１０８】
また、この測定システム１００によれば、上記の携帯情報端末２と、「外部装置」としてのデータサーバ３と、測定対象の物理量を測定して測定結果データＤ１を生成すると共に測定結果データＤ１を測定対象に関連付けてデータサーバ３に送信する測定装置１とを備えて構成したことにより、「測定対象」に測定装置１を設置しておき、測定結果を得る際には、携帯情報端末２だけを携行して「測定対象」の設置場所に移動すればよいため、「測定対象」のメンテナンス作業等を容易に実施することができる。
【０１０９】
なお、「測定結果表示装置」および「測定システム」の構成や、「測定結果表示用プログラム」の処理内容については、上記の例に限定されない。測定装置１と携帯情報端末２との間においてデータサーバ３を介して測定結果データＤ１を送受信する構成を例に挙げて説明したが、測定対象像データＤｘ、識別符号特定用データＤａおよび測定対象位置特定用データＤｂ等を携帯情報端末２の記憶部２９に予め記憶させておくことにより、測定装置１から携帯情報端末２に測定結果データＤ１を直接送信させて測定結果表示処理を実行する構成を採用することもできる。
【０１１０】
また、「測定対象特定処理」として、バーコードラベルＬｂを撮像した撮像データＤ４を画像解析することで特定した「識別符号」と識別符号特定用データＤａとに基づく「測定対象」の特定（特定方法Ａ）、ＩＣタグＴｇから読み取った識別符号データＤ３と識別符号特定用データＤａとに基づく「測定対象」の特定（特定方法Ｂ）、および測位部２３によって測定した現在位置（測位データＤ２）と測定対象位置特定用データＤｂとに基づく「測定対象」の特定（特定方法Ｃ）の３種類の方法のいずれかで「測定対象」を特定する構成・方法を例に挙げて説明したが、これらのうちのいずれか１つ、または、２つだけを実行可能な構成を採用することもできる。
【０１１１】
さらに、「測定対象特定処理」として、上記の特定方法Ａ〜Ｃだけでなく、カメラ２１によって「測定対象」を撮像し、その撮像データＤ４を画像解析することにより、撮像した「測定対象」を特定する方法や、カメラ２１によって「測定対象」が設置されている場所の風景を撮像して、その撮像データＤ４を画像解析することにより、撮像した風景の場所に設置されている「測定対象」を特定する方法を実行可能に構成することもできる。
【０１１２】
さらに、ＧＰＳ衛星４，４・・から送信されたＧＰＳ信号Ｓｇに基づいて現在位置を測位して測位データＤ２を生成する測位部２３を備えた携帯情報端末２を例に挙げて説明したが、「測定結果表示装置」の構成はこれに限定されない。具体的には、ＧＰＳ以外の各種衛星測位システム（Ｇａｌｉｌｅｏ、ＧＬＯＮＡＳＳおよびＣｏｍｐａｓｓなど）を単独で使用して現在位置を測位する構成の測位部、各種衛星測位システムを併用して現在位置を測位する構成（例えば、ＧＰＳと準天頂衛星とを併用して測位する構成）の測位部、携帯電話通信網に接続可能な通信部を介して携帯電話基地局から取得した信号に基づいて（携帯基地局測位システムを使用して）現在位置を測位する構成の測位部、および衛星測位システムと携帯基地局測位システムとを併用して現在位置を測位する構成の測位部などの各種の「測位部」を搭載して「測定装置」を構成することができる。
【０１１３】
また、ＩＭＥＳ（Indoor MEssaging System ）等の屋内対応の測位システムを、単独、または他の測位システムと併用して現在位置を測位する構成の「測位部」を採用することもできる。このような構成を採用することにより、衛星や基地局からの信号の受信が困難な環境（屋内や、屋外における建造物の陰等）に測定対象が位置している場合においても、現在位置に基づいてその測定対象を確実に特定することが可能となる。
【０１１４】
さらに、「測定対象特定処理」によって特定した「測定対象」についての属性データＤｃに基づいて「測定対象」の属性情報表示３１を測定結果表示画面３０内に表示させる構成を例に挙げて説明したが、このような構成に代えて、例えば、属性情報表示３１を表示可能な「測定対象」の選択候補をリスト表示させ、利用者によって選択された選択候補の「測定対象」の属性データＤｃに基づいて属性情報表示３１を測定結果表示画面３０内に表示させる構成を採用することもできる。また、測定結果表示画面３０以外の表示画面内に属性情報表示３１を表示させる構成を採用することもできる。
【符号の説明】
【０１１５】
１００  測定システム
１  測定装置
２  携帯情報端末
３  データサーバ
４  ＧＰＳ衛星
１１  測定モジュール
１２，２５  通信部
１３，２８  処理部
１４，２９  記憶部
２１  カメラ
２２  ＩＣタグリーダー
２３  測位部
２４  Ｇセンサ
２６  操作部
２７  表示部
３０  測定結果表示画面
３１  属性情報表示
３２ａ〜３２ｄ，３３ａ〜３３ｃ，４２ａ〜４２ｄ，４２ｘ，４３ａ〜４３ｃ  測定結果表示
５０  電源装置
Ｄ０  測定値データ
Ｄ１  測定結果データ
Ｄ２  測位データ
Ｄ３  識別符号データ
Ｄ４  撮像データ
Ｄ５  加速度データ
Ｄａ  識別符号特定用データ
Ｄｂ  測定対象位置特定用データ
Ｄｃ  属性データ
Ｄｐ  測定結果表示用プログラム
Ｄｘ  測定対象像データ
Ｌｂ  バーコードラベル
Ｍａ  特定用マーク
Ｎ  通信ネットワーク
ＰＸ，ＰＸａ〜ＰＸｄ，ＰＸ１ａ〜ＰＸ３ａ，ＰＸ１ｂ〜ＰＸ３ｂ  像
Ｓｇ  ＧＰＳ信号
Ｔｇ  ＩＣタグ
Ｘ  配電盤
Ｘａ〜Ｘｄ  搭載機器
Ｘ１ａ〜Ｘ３ａ，Ｘ１ｂ〜Ｘ３ｂ  ケーブル
【図１】
2014231994.tif 000003
【図２】
2014231994.tif 000004
【図３】
2014231994.tif 000005
【図４】
2014231994.tif 000006
【図５】
2014231994.tif 000007
【図６】
2014231994.tif 000008
【図７】
2014231994.tif 000009
【図８】
2014231994.tif 000010
【図９】
2014231994.tif 000011
【図１０】
2014231994.tif 000012
【図１１】
2014231994.tif 000013